(57)【特許請求の範囲】
【請求項１】
吸入フィルター(6)を介して、無菌の換気装置と異物を除去する換気装置とを備えている無菌室(2)内の空気をエアーシャワー室(1)に吸入し、排出フィルター(7)を介してエアーシャワー室(1)の空気を無菌室(2)に排気して、エアーシャワー室(1)を換気することを特徴とするエアーシャワー室の換気方法。
【請求項２】
エアーシャワー室(1)の空気をジェットノズル(12)からエアーシャワー室(1)に噴射して循環させる循環ファン(3)を、エアーシャワー室(1)の空気を無菌室(2)に循環させるファンに併用する請求項１に記載するエアーシャワー室の換気方法。
【請求項３】
エアーシャワー室(1)内の空気を吸入してエアーシャワー室(1)に噴射する循環ファン(3)と、この循環ファン(3)の吸入側と、無菌の換気装置と異物を除去する換気装置とを備えている無菌室(2)との間に連結された吸入フィルター(6)と、この循環ファン(3)の排出側と無菌室(2)とに間に連結された排出フィルター(7)とを備え、
循環ファン(3)が運転されると、吸入フィルター(6)を介して、無菌室(2)内の空気がエアーシャワー室(1)内の空気と一緒に吸入され、エアーシャワー室(1)に噴射される空気の一部が、排出フィルター(7)を介して無菌室(2)に分岐して排出されることにより、循環ファン(3)でもって、無菌室(2)の空気がエアーシャワー室(1)に換気されるように構成されてなるエアーシャワー室の換気装置。
【請求項４】
エアーシャワー室(1)の空気をジェットノズル(12)からエアーシャワー室(1)に噴射して循環させる循環ファン(3)を、エアーシャワー室(1)の空気を無菌室(2)に循環させるファンに併用する請求項３に記載するエアーシャワー室の換気装置。
【発明の詳細な説明】
【０００１】
【発明の属する技術分野】
本発明は、無菌室に隣接して配設されるエアーシャワー室を換気する方法に関する。
【０００２】
【従来の技術】
エアーシャワー室は、無菌室と同じように、一定の期間毎に、ホルマリン燻蒸等を実施して、無菌な状態に保持している。ホルマリン燻蒸した後、エアーシャワー室は、ホルマリン臭を排気するために、入室するまで十分に換気される。しかしながら、エアーシャワー室は、常時、締め切った状態にあるので、内部にホルマリン臭が閉じ込められる。このため、無菌室に入室するために、エアーシャワー室を通過するとき、ホルマリン臭が強く、作業員を極めて不愉快な状態としている。エアーシャワー室は、非常に高い気密性を有し、通常の状態では換気できず、内部の状態が時間とともに悪化し、快適に通過できない欠点があった。
【０００３】
【発明が解決しようとする課題】
この欠点を解消するために、ホルマリン臭をアンモニア水で中和させる方法が開発されている。しかしながら、アンモニア水を使用する方法は、無菌のアンモニア水を調製し、さらに、これにエアーシャワー室内の空気を効率よく接触させるための使用方法等が煩雑で手間がかかり、簡単にホルマリン臭を除去できない欠点があった。
【０００４】
本発明は、このように欠点を解決することを目的に開発されたものである。本発明の重要な目的は、極めて簡単な構造で、エアーシャワー室を無菌状態に保持して、殺菌に使用した薬品の悪臭等を短時間で能率よく消臭して、快適に使用できるエアーシャワー室の換気方法と換気装置とを提供することにある。
【０００５】
【課題を解決するための手段】
本発明のエアーシャワー室の換気方法は、吸入フィルター６を介して、無菌の換気装置と異物を除去する換気装置とを備えている無菌室２内の空気をエアーシャワー室１に吸入し、さらに、排出フィルター７を介してエアーシャワー室１の空気を無菌室２に排気して、エアーシャワー室１を無菌室２に換気することを特徴とする。
【０００６】
さらに、本発明のエアーシャワー室の換気装置は、エアーシャワー室１内の空気を吸入して、エアーシャワー室１に噴射する循環ファン３と、この循環ファン３の吸入側と、無菌の換気装置と異物を除去する換気装置とを備えている無菌室２との間に連結された吸入フィルター６と、循環ファン３の排出側と無菌室２とに間に連結された排出フィルター７とを備える。
【０００７】
循環ファン３が運転されると、吸入フィルター６を介して、無菌室２内の空気がエアーシャワー室１内の空気と一緒に吸入され、エアーシャワー室１に噴射される空気の一部が、無菌室２に分岐して排出されることにより、循環ファン３でもって、無菌室２の空気がエアーシャワー室１に換気されるように構成している。循環ファン３の運転は、人が通過するとき以外もタイマーにより断続的に運転し、換気を促進する。
【０００８】
【発明の実施の形態】
以下、本発明の実施例を図面に基づいて説明する。ただし、以下に示す実施例は、本発明の技術思想を具体化するためのエアーシャワー室の換気方法と換気装置を例示するものであって、本発明はエアーシャワー室の換気方法と換気装置を下記のものに特定しない。
【０００９】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１０】
本発明の実施例を詳述する前に、従来のエアーシャワー室と無菌室を説明して、本発明の換気装置との相違を明確にする。図１は、従来のエアーシャワー室１と無菌室２を示す断面図である。この図に示すエアーシャワー室１は、循環ファン３の吸入側と排出側を、エアーシャワー室１に連結している。循環ファン３の吸入側には、プレフィルター４を連結し、排出側には循環フィルター５を連結している。循環ファン３が運転されると、エアーシャワー室１の空気は、プレフィルター４、循環ファン３、循環フィルター５を通過して、循環され、エアーシャワー室１に入室した作業員に空気を高速で吹き付けて、付着する埃を除去する。
【００１１】
この図に示すエアーシャワー室１は、無菌室２と一緒にホルマリン等で殺菌されると、その悪臭を速やかに排気できない。ホルマリン臭を速やかに排気する本発明の実施例の換気装置を図２に示す。
【００１２】
この図の換気装置は、循環ファン３の吸入側を、吸入フィルター６を介して無菌室２に連結している。循環ファン３の排出側は、循環フィルター５に連結されており、循環フィルター５の排出側を分岐して、一方をエアーシャワー室１に、他方を、排出フィルター７を介して無菌室２に連結している。さらに、循環ファン３は、吸入側を、プレフィルター４を介してエアーシャワー室１に連結している。
【００１３】
図３ないし図６に示す装置は、エアーシャワー室１に隣接して無菌室２を設け、エアーシャワー室１に隣接して設けた循環室８を無菌室２に隣接させている。エアーシャワー室１と無菌室２との間には、開閉できる扉９を設けている。作業者は、この扉９を開いてエアーシャワー室１から無菌室２に入る。エアーシャワー室１は、無菌室２の反対側に更衣室１０を設け、更衣室１０とエアーシャワー室１との間にも扉１１を設けている。作業者は、更衣室１０で着替えして、エアーシャワー室１に入り、エアーシャワー室１から無菌室２に入る。
【００１４】
循環室８は、プレフィルター４と、循環ファン３と、循環フィルター５と、吸入フィルター６と、排出フィルター７とを内蔵されている。循環室８は、エアーシャワー室１と無菌室２から空気を吸入する下部に設けた第１室８Ａと、この第１室８Ａの空気を循環ファン３が吸入して吹き出す第２室８Ｂと、この第２室８Ｂに循環フィルター５を介して連結されている第３室８Ｃとに区画されている。第１室８Ａは、循環室８の下部に、第３室８Ｃは上部に、第２室８Ｂは中間に設けられている。
【００１５】
第１室８Ａは、プレフィルター４を介してエアーシャワー室１に連結され、吸入フィルター６を介して無菌室２に連結される。第１室８Ａは、循環ファン３の吸入側に連結されて、循環ファン３でもって強制的に、エアーシャワー室１と無菌室２から空気が吸入される。プレフィルター４は、図４と図５に示すように、エアーシャワー室１の下部に設けられている。吸入フィルター６も、図６に示すように、無菌室２の下部に連結されている。
【００１６】
第２室８Ｂは、循環ファン３の吹出側に連結されると共に、第２室８Ｂと第３室８Ｃの間に循環フィルター５を配設している。第３室８Ｃは、複数のジェットノズル１２を介してエアーシャワー室１に連結され、排出フィルター７を介して無菌室２に連結される。ジェットノズル１２は、循環ファン３で強制送風される空気を、エアーシャワー室１の作業者に噴射して、付着する異物を除去する。排出フィルター７は、図６に示すように、エアーシャワー室１と無菌室２との境界の上部に配設されて、第３室８Ｃの空気を無菌室２に供給する。
【００１７】
プレフィルター４は、エアーシャワー室１から吸入される空気に含まれる大きな異物を除去する。プレフィルター４は、たとえば、２〜３μｍ以上の異物を除去できるフィルターが使用される。
【００１８】
循環フィルター５と、吸入フィルター６と排出フィルター７は、たとえば、０．３μｍ以下の極めて微細な異物を除去するフィルターが使用される。これ等のフィルターは、無菌室と同時にホルマリン燻蒸され、常に無菌的に保つことができる。
【００１９】
この構造のエアーシャワー室１と無菌室２は、下記の運転をして、エアーシャワー室１を換気する。
(１)  エアーシャワー室１と無菌室２を、ホルマリン燻蒸して殺菌した後、無菌室２を換気してホルマリン臭を除去する。無菌室２は、作業者が入って作業するので、無菌の換気装置（図示せず）と異物を除去する換気装置とを備えている。
【００２０】
(２)  エアーシャワー室１の扉を閉じて密閉する状態で、循環ファン３を運転する。循環ファン３は、エアーシャワー室１と無菌室２の両方から第１室８Ａに空気を吸入する。循環ファン３の吸入側に連結される第１室８Ａの圧力が、エアーシャワー室１および無菌室２よりも低くなるからである。
【００２１】
(３)  第１室８Ａに吸入された空気は、循環ファン３を通過して第２室８Ｂに吹き出される。空気が吹き込まれて、第２室８Ｂの圧力は高くなり、第２室８Ｂの空気は、循環フィルター５を通過して第３室８Ｃに流入する。
【００２２】
(４)  第３室８Ｃも空気が供給されて内圧が高くなり、ジェットノズル１２を通過してエアーシャワー室１に、排出フィルター７を通過して無菌室２に供給される。
【００２３】
この状態で、エアーシャワー室１の空気は無菌室２に換気され、ホルマリン臭等の悪臭が排気される。
【００２４】
以上の実施例は、循環ファン３の吸入側を吸入フィルター６を介して無菌室２に、排出側を排出フィルター７を介して無菌室２に連結している。この構造は、無菌室２の空気が、吸入フィルター６と循環フィルター５と排出フィルター７を通過して循環される。したがって、無菌室２の空気を最も清澄に保持できる特長がある。ただ、循環ファンの吸入側には吸入フィルターを連結し、排出側を排出フィルターに連結することなく無菌室に連結することもできる。また、循環ファンの排出側を排出フィルターを介して無菌室に連結して、吸入側は吸入フィルターを介することなく無菌室に連結することもできる。
【００２５】
さらに、エアーシャワー室１の空気を循環させる循環ファン３で、エアーシャワー室１の空気を無菌室２に循環させる方法と装置は、エアーシャワー室１と無菌室２とに空気を循環させるために専用の循環ファン３を必要としない。このため、最も簡単な構造で、エアーシャワー室１の空気を無菌室２に循環できる特長がある。ただ、本発明のエアーシャワー室の換気方法と換気装置は、エアーシャワー室の空気を専用の循環ファンで無菌室に循環させることもできる。
【００２６】
専用循環ファンを使用する方法と装置は、図７に示すように、専用循環ファン１３の吸入側を吸入フィルター６を介して無菌室２に連結する。専用循環ファン１３は排出側をエアーシャワー室１に開口し、エアーシャワー室１と無菌室２との間を排出フィルター７を介して連結する。この構造のエアーシャワー室１は、専用循環ファン１３を運転すると、無菌室２の空気が吸入フィルター６を通過してエアーシャワー室１に吸入される。エアーシャワー室１は、吸入された空気で内圧が高くなるので、排出フィルター７を通過して、エアーシャワー室１から無菌室２に空気が供給される。したがって、このエアーシャワー室１は、専用循環ファン１３で無菌室２の空気をエアーシャワー室１に換気できる。
【００２７】
【発明の効果】
本発明のエアーシャワー室の換気方法と装置は、極めて簡単な構造で、エアーシャワー室を無菌状態に保持して、殺菌に使用した薬品の悪臭等を短時間で能率よく消臭して、無菌的に快適に使用できる特長がある。それは、本発明のエアーシャワー室の換気方法と換気装置とが、エアーシャワー室の空気を外部に換気するのではなくて、無菌状態に保持される無菌室に換気しているからである。空気を無菌室に循環させるエアーシャワー室は、無菌室を無菌状態に保持している換気装置を併用して、上下面からホルマリン臭等の悪臭を能率よく除去できる特長がある。このため、本発明のエアーシャワー室の換気方法と換気装置とは、エアーシャワー室から速やかにホルマリン臭等の悪臭を除去できるにもかかわらず、エアーシャワー室を無菌状態で換気する装置を必要とせず、設備コストを著しく低減して、快適に使用できる特長が実現される。
【００２８】
さらに、ジェットノズルから噴射するためにエアーシャワー室の空気を循環させる循環ファンを、エアーシャワー室と無菌室との空気の循環に併用する装置は、さらに簡単な構造で、エアーシャワー室の空気を無菌室に換気できる特長がある。
【図面の簡単な説明】
【図１】  従来のエアーシャワー室の換気装置を示す概略断面図
【図２】  本発明の実施例にかかるエアーシャワー室の換気装置を示す概略断面図
【図３】  本発明の実施例にかかるエアーシャワー室の換気装置の平面図
【図４】  図３に示すエアーシャワー室の換気装置のＡ−Ａ線断面図
【図５】  図３に示すエアーシャワー室の換気装置のＢ−Ｂ線断面図
【図６】  図３に示すエアーシャワー室の換気装置のＣ−Ｃ線断面図
【図７】  本発明の他の実施例にかかるエアーシャワー室の換気装置を示す概略断面図
【符号の説明】
１…エアーシャワー室
２…無菌室
３…循環ファン
４…プレフィルター
５…循環フィルター
６…吸入フィルター
７…排出フィルター
８…循環室              ８Ａ…第１室            ８Ｂ…第２室
８Ｃ…第３室
９…扉
１０…更衣室
１１…扉
１２…ジェットノズル
１３…専用循環ファン
【図１】
0003720170.tif 000002
【図２】
0003720170.tif 000003
【図３】
0003720170.tif 000004
【図４】
0003720170.tif 000005
【図５】
0003720170.tif 000006
【図６】
0003720170.tif 000007
【図７】
0003720170.tif 000008